(57)【要約】【課題】光源から出射された光の入光効率を高めながら、導光板の入光面が光源の光出射面と当接することを防止ないし抑制すること。【解決手段】バックライト装置２４は、二つの側面に入光面２０ａが設けられた導光板２０と、長方形状をなし、表側の板面が入光面２０ａと対向するように配されたＬＥＤ基板３０であって、表側の板面に入光面２０ａ側に開口するとともにその長辺方向に並んで設けられた複数の凹部２９を有し、その凹部２９の長辺方向に沿った側面２９ａの各々が、外側に向かって広がる方向に傾斜する傾斜面とされたＬＥＤ基板３０と、複数の凹部２９内の各々にその光出射面が入光面２０ａ側に向けられた形で配された複数のＬＥＤ２８と、を備える。【選択図】図５
2013218842.tif 000002
【特許請求の範囲】
【請求項１】
少なくとも一つの側面に入光面が設けられた導光板と、
長方形状をなし、一方の板面が前記入光面と対向するように配された光源基板であって、前記一方の板面に前記入光面側に開口するとともにその長辺方向に並んで設けられた複数の凹部を有し、該凹部の前記長辺方向に沿った側面の各々が、外側に向かって広がる方向に傾斜する傾斜面とされた光源基板と、
複数の前記凹部内の各々にその光出射面が前記入光面側に向けられた形で配された複数の光源と、
を備える照明装置。
【請求項２】
前記光源基板の前記一方の板面は、前記光源の前記光出射面より前記入光面側に位置するものとされている、請求項１に記載の照明装置。
【請求項３】
前記光源の前記光出射面と前記導光板の前記入光面との間の距離が１ｍｍ以下とされている、請求項１又は請求項２に記載の照明装置。
【請求項４】
前記光源に電力を供給する配線が、前記光源基板における前記一方の板面と前記凹部とに沿って配されている、請求項１から請求項３のいずれか１項に記載の照明装置。
【請求項５】
前記光源基板において、前記一方の板面と前記凹部の前記長辺方向に沿った側面との間の境界部に曲率が設けられている、請求項４に記載の照明装置。
【請求項６】
前記光源基板は、その短辺方向が前記導光板の厚み方向に沿うように配され、
前記光源基板において、前記凹部の前記短辺方向に沿った側面が前記光源の前記光出射面と直交するように設けられている、請求項１から請求項５のいずれか１項に記載の照明装置。
【請求項７】
前記光源基板が放熱性を有するものとされている、請求項１から請求項６のいずれか１項に記載の照明装置。
【請求項８】
前記光源基板の前記一方の板面が光反射性を有するものとされている、請求項１から請求項７のいずれか１項に記載の照明装置。
【請求項９】
請求項１から請求項８のいずれか１項に記載の照明装置からの光を利用して表示を行う表示パネルを備える、表示装置。
【請求項１０】
前記導光板と前記表示パネルとの間に配された光学部材と、
前記導光板に対して表示パネル側と反対側に配されたシャーシと、
前記表示パネルの前記表示面側に配され、前記シャーシとの間で前記表示パネルと前記光学部材と前記導光板とを挟み込む形で収容するフレームと、をさらに備える、請求項９に記載の表示装置。
【請求項１１】
前記表示パネルが液晶を用いた液晶パネルである、請求項９又は請求項１０に記載の表示装置。
【請求項１２】
請求項９から請求項１１のいずれか１項に記載の表示装置を備える、テレビ受信装置。
【発明の詳細な説明】
【技術分野】
【０００１】
本発明は、照明装置、表示装置、及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型表示素子を適用した薄型表示装置に移行しつつあり、画像表示装置の薄型化を可能としている。液晶表示装置は、これに用いる液晶パネルが自発光しないため、別途に照明装置としてバックライト装置を必要としている。このようなバックライト装置の一例として、導光板の側面に入光面が設けられ、導光板の側面側にＬＥＤ等の光源が配されたエッジライト型のバックライト装置が知られている。
【０００３】
エッジライト型のバックライト装置では、光源から出射された光の入光効率を高めるために、光源と導光板の入光面との間の距離を小さくすることが求められる。また、光源と導光板の入光面との間の距離を小さくすることにより、バックライト装置の狭額化を図ることもできる。このように光源と導光板の入光面との間の距離が狭められたエッジライト型のバックライト装置が、例えば特許文献１に開示されている。
【先行技術文献】
【特許文献】
【０００４】
【特許文献１】特開２００８−５３０１３号公報
【発明の概要】
【発明が解決しようとする課題】
【０００５】
ところで、エッジライト型のバックライト装置では光源から発生する熱によって導光板が熱膨張し、導光板の入光面が光源側へ延出することがある。しかしながら、上記の特許文献１に記載されたバックライト装置では、光源としてのＬＥＤが実装された光源基板が導光板の入光面に直接取り付けられているため、導光板の入光面がＬＥＤ側へ延出した場合に、導光板の入光面がＬＥＤと当接する虞がある。導光板の入光面がＬＥＤと当接すると、ＬＥＤが損傷し、バックライト装置の光学特性が低下する。
【０００６】
本明細書で開示される技術は、上記の課題に鑑みて創作されたものである。本明細書では、光源から出射された光の入光効率を高めながら、導光板の入光面が光源の光出射面と当接することを防止ないし抑制することができる技術を提供することを目的とする。
【発明を解決するための手段】
【０００７】
本明細書で開示される技術は、少なくとも一つの側面に入光面が設けられた導光板と、長方形状をなし、一方の板面が前記入光面と対向するように配された光源基板であって、前記一方の板面に前記入光面側に開口するとともにその長辺方向に並んで設けられた複数の凹部を有し、該凹部の前記長辺方向に沿った側面の各々が、外側に向かって広がる方向に傾斜する傾斜面とされた光源基板と、複数の前記凹部内の各々にその光出射面が前記入光面側に向けられた形で配された複数の光源と、を備える照明装置に関する。
【０００８】
上記のような照明装置によれば、光源が光源基板の凹部内に配されることで、光源の周りが光源基板によって囲まれることとなるので、導光板が熱膨張等した場合であっても、導光板の入光面が光源の光出射面と当接することを防止ないし抑制することができる。さらに、凹部の長辺方向に沿った側面の各々が外側に向かって広がる方向に傾斜する傾斜面とされていることから、光源から出射された光のうち長辺方向側に拡がった光が当該側面によって遮られ難いため、光源を導光板側に近付けた場合であっても、導光板の入光面において隣接する光源の間の部位と対向する部位に暗部が生じることを抑制することができる。このため、光源が光源基板の板面上に配された場合に比べて光源と導光板の入光面との間の距離を狭めることができ、その結果、光源から出射された光の大部分が入光面に入射することとなるので、光源から出射された光の入光効率を高めることができる。
【０００９】
前記光源基板の前記一方の板面は、前記光源の前記光出射面より前記入光面側に位置するものとされていてもよい。
この構成によると、導光板が熱膨張等した場合に、導光板の入光面が光源基板の一方の板面と当接することとなるので、導光板の入光面が光源と当接することを確実に防止することができる。
【００１０】
前記光源の前記光出射面と前記導光板の前記入光面との間の距離が１ｍｍ以下とされていてもよい。
この構成によると、従来の照明装置と比べて光源と導光板の入光面との間の距離を狭めることができ、光源から出射された光の入光効率を一層高めることができる。
【００１１】
前記光源に電力を供給する配線が、前記光源基板における前記一方の板面と前記凹部とに沿って配されていてもよい。
この構成によると、光源から出射された光が配線によって遮られないものとするための具体的な構成を提供することができる。
【００１２】
前記光源基板において、前記一方の板面と前記凹部の前記長辺方向に沿った側面との間の境界部に曲率が設けられていてもよい。
光源基板上に上記の配線が配されている場合、一方の板面と凹部の長辺方向に沿った側面との間の境界部が角状となっていると、振動等によって配線がずれた場合に当該境界部において配線が断線する虞がある。上記の構成によれば、振動等によって配線がずれた場合でも、境界部に曲率が設けられることで滑らかなものとなっているので、配線が断線することを防止ないし抑制することができる。
【００１３】
前記光源基板は、その短辺方向が前記導光板の厚み方向に沿うように配され、前記光源基板において、前記凹部の前記短辺方向に沿った側面が前記光源の前記光出射面と直交するように設けられていてもよい。
凹部の短辺方向に沿った側面が凹部の外側に向かって傾斜した状態であると、光源から出射された光が導光板の厚み方向に漏れやすいものとなる。上記の構成によると、凹部の短辺方向に沿った側面が凹部の外側に向かって傾斜している場合に比して、光源から出射された光を導光板の厚み方向に漏れ難いものとすることができる。その結果、光源から出射された光のロスを低減することができ、光源から出射された光の入光効率を一層高めることができる。
【００１４】
前記光源基板が放熱性を有するものとされていてもよい。
この構成によると、光源から発生する熱を光源基板から外部へと効果的に放熱させることができるので、導光板の熱膨張を抑制することができる。
【００１５】
前記光源基板の前記一方の板面が光反射性を有するものとされていてもよい。
この構成によると、光源から出射された光のうち凹部の側面に向かった光や光源基板の一方の板面に向かった光を導光板の入光面側に反射させることができるので、光源から出射された光の入光効率を一層高めることができる。
【００１６】
本明細書で開示される技術は、上記の照明装置からの光を利用して表示を行う表示パネルと、を備える表示装置として表現することもできる。この場合、前記導光板と前記表示パネルとの間に配された光学部材と、前記導光板に対して前記表示パネル側と反対側に配されたシャーシと、前記表示パネルの表示面側に配され、前記シャーシとの間で前記表示パネルと前記光学部材と前記導光板とを挟み込む形で収容するフレームと、をさらに備えてもよい。
このようなキャビネットを備えないタイプの表示装置では、光源と光学部材との間が部材によって遮られない構成となるので、光源から出射された光が光学部材の端部側に向かうことで表示面において輝度ムラが発生することがある。しかしながら、光源が凹部内に配されることによって、光源から出射された光が光学部材の端部側に向かい難いものとなっているので、キャビネットを備えないタイプの表示装置であっても、光源から出射された光が光学部材の端部側に向かうことに起因する輝度ムラの発生を防止ないし抑制することができる。なお、当該表示パネルを、液晶を用いた液晶パネルとする表示装置も、新規で有用である。また、上記の表示装置を備えるテレビ受信装置も、新規で有用である。
【発明の効果】
【００１７】
本明細書で開示される技術によれば、光源から出射された光の入光効率を高めながら、導光板の入光面が光源の光出射面と当接することを防止ないし抑制することができる。
【図面の簡単な説明】
【００１８】
【図１】実施形態１に係るテレビ受信装置ＴＶの分解斜視図
【図２】液晶表示装置１０の分解斜視図
【図３】液晶表示装置１０を鉛直方向に沿って切断した断面図
【図４】図３におけるＬＥＤユニットの近傍を拡大した拡大断面図
【図５】バックライト装置２４においてＬＥＤユニット３２の近傍を拡大した拡大平面図
【図６】ＬＥＤユニット３２を水平方向に沿って切断した断面図
【図７】ＬＥＤユニット３２の斜視図
【図８】実施形態２に係るＬＥＤユニット１３２を水平方向に沿って切断した断面図
【図９】実施形態３に係るＬＥＤユニット２３２を水平方向に沿って切断した断面図
【図１０】実施形態４に係る液晶表示装置３１０の分解斜視図
【図１１】液晶表示装置３１０を鉛直方向に沿って切断した断面図
【発明を実施するための形態】
【００１９】
＜実施形態１＞
図面を参照して実施形態１を説明する。なお、各図面の一部にはＸ軸、Ｙ軸およびＺ軸を示しており、各軸方向が各図面で共通した方向となるように描かれている。このうちＹ軸方向は、鉛直方向と一致し、Ｘ軸方向は、水平方向と一致している。また、特に断りがない限りは、上下の記載については鉛直方向を基準とする。
【００２０】
図１は、実施形態１に係るテレビ受信装置ＴＶの分解斜視図を示している。テレビ受信装置ＴＶは、液晶表示装置（表示装置の一例）１０と、当該表示装置Ｄを挟むようにして収容する表裏両キャビネットＣａ、Ｃｂと、電源Ｐと、チューナーＴと、スタンドＳと、を備えている。
【００２１】
図２は、液晶表示装置１０の分解斜視図を示している。ここで、図２に示す上側を表側とし、同図下側を裏側とする。図２に示すように、液晶表示装置１０は、全体として横長の方形を成し、表示パネルである液晶パネル１６と、外部光源であるバックライト装置（照明装置の一例）２４とを備え、これらが枠状を成すベゼル１２などにより一体的に保持されるようになっている。
【００２２】
続いて、液晶パネル１６について説明する。液晶パネル１６は、透明な（高い透光性を有する）一対のガラス基板が所定のギャップを隔てた状態で貼り合わせられるとともに、両ガラス基板間に液晶層（図示しない）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。このうち、ソース配線、ゲート配線および対向電極などには、図示しない駆動回路基板から画像を表示するのに必要な画像データや各種制御信号が供給されるようになっている。なお、両ガラス基板の外側には偏光板（図示しない）が配されている。
【００２３】
続いて、バックライト装置２４について説明する。図３は、液晶表示装置１０を鉛直方向（Ｙ軸方向）に沿って切断した断面の断面図を示している。図２及び図３に示すように、バックライト装置２４は、フレーム１４と、光学部材１８と、シャーシ２２とを備えている。フレーム１４は、枠状を成しており、導光板２０の表面（出光面２０ｂ）の端縁側に沿って配され、内縁に沿って液晶パネル１６を支持している。光学部材１８は、導光板２０の表側（出光面２０ｂ側）に載置されている。シャーシ２２は、表側（光出射側、液晶パネル１６側）に開口した略箱型を成している。
【００２４】
シャーシ２２内には、一対のＬＥＤ（Light Emitting Diode）ユニット３２，３２と、反射シート２６と、導光板２０とが収容されている。一対のＬＥＤユニット３２，３２は、シャーシ２２の長辺方向に延びるとともにシャーシ２２の両長辺側外縁（側板）２２ｂ、２２ｃに配されており、導光板２０の光入射面２０ａ側に向かって光を出射する。導光板２０の長辺方向両側面（入光面）２０ａはＬＥＤユニット３２と対向する位置に配されており、当該ＬＥＤユニット３２から出射される光を液晶パネル１６側へ導く。そして、この導光板２０の表側に光学部材１８が載置されている。本実施形態に係るバックライト装置２４では、導光板２０および光学部材１８が液晶パネル１６の直下に配されていると共に光源であるＬＥＤユニット３２が導光板２０の側端部に配されてなる、いわゆるエッジライト方式（サイドライト方式）を採用している。
【００２５】
シャーシ２２は、例えばアルミ系材料などの金属製とされ、平面視矩形状を成す底板２２ａと、底板２２ａの両長辺の各外縁から立ち上がる側板２２ｂ、２２ｃと、底板２２ａの両短辺の各外縁から立ち上がる側板とから構成されている。シャーシ２２内において各ＬＥＤユニット３２，３２と対向する空間が、導光板２０用の収容空間となっている。なお、底板２２ａの裏側には、ＬＥＤユニット３２に電力を供給する電源回路基板（図示しない）等が取り付けられている。
【００２６】
光学部材１８は、導光板２０側から順に、拡散シート１８ａ、レンズシート１８ｂ、反射型偏光板１８ｃが積層されたものである。拡散シート１８ａ、レンズシート１８ｂ、反射型偏光板１８ｃは、ＬＥＤユニット３２から出射され、導光板２０を通過した光を面状の光とする機能を有している。反射型偏光板１８ｄの上面側には液晶パネル１６が設置されており、光学部材１８は、反射型偏光板１８ｃの表面側の端縁がフレーム１４によって保持された状態で導光板２０と液晶パネル１６との間に配されている。
【００２７】
導光板２０は、矩形状の板状部材とされ、アクリル等の透光性の大きい（透明度の高い）樹脂により形成されており、反射シート２６と当接していると共に、シャーシ２２によって支持されている。導光板２０は、図２に示すように、一対のＬＥＤユニット３２，３２の間に、主板面である出光面２０ｂを後述するレンズシート１８ａ側に向け、出光面２０ｂとは反対側の板面である反対板面２０ｃを反射シート２６側に向ける形で配されている。このような導光板２０が配設されることにより、ＬＥＤユニット３２から生じた光は、導光板２０の入光面２０ａから入射してレンズシート１８ａと対向する出光面２０ｂから出射することで、液晶パネル１６をその背面側から照射する。
【００２８】
続いて本実施形態の要部である、ＬＥＤユニット３２の構成について詳しく説明する。ＬＥＤユニット３２は、ＬＥＤ基板（光源基板の一例）３０とＬＥＤ（光源の一例）２８とから構成されている。ＬＥＤユニット３２を構成するＬＥＤ基板３０は、図２及び図３に示すように、導光板２０の長辺方向（Ｘ軸方向）に沿って延在する細長い板状をなしており、その主板面をＸ軸方向及びＺ軸方向に並行した姿勢、つまり導光板２０の入光面２０ａに並行した姿勢でフレーム１４及びシャーシ２２内に収容されている。従って、ＬＥＤ基板３０の短辺方向は導光板２０の厚み方向（Ｚ軸方向）と一致するものとなっている。ＬＥＤ基板３０の主板面であって内側、つまり導光板２０側を向いた面（導光板２０の入光面２０ａと対向する面、以下、対向面３０ａと称する）には、その板面の長辺方向（Ｘ軸方向）に沿って複数の凹部２９が一列に並んで設けられている。各凹部２９は、導光板２０側に開口するとともに、その開口が矩形状をなすものとされている。従って各凹部２９は、ＬＥＤ基板３０の長辺方向（Ｘ軸方向）に沿った一対の側面２９ａ，２９ａと、ＬＥＤ基板３０の短辺方向（Ｙ軸方向）に沿った一対の側面２９ｂ，２９ｂと、底面と、から構成されている。
【００２９】
ＬＥＤ基板３０の各凹部２９内には、ＬＥＤユニット３２を構成するＬＥＤ２８が配されている。ＬＥＤ２８は、ブロック状をなしており、図６に示すように、その中央に配されたＬＥＤチップ３１を樹脂材により封止した構成とされている。また、ＬＥＤ２８は、その光出射面２８ａが導光板２０側に向けられた形で配されており、その光軸がＹ軸方向とほぼ一致している。ＬＥＤ２８の光出射面２８ａと導光板２０の入光面２０ａとの間の距離Ｗ１（図４参照）は、１ｍｍ以下とされている。ＬＥＤチップ３１は、主発光波長が１種類とされ、具体的には、青色を単色発光するものが用いられている。その一方、ＬＥＤチップ３１を封止する樹脂材には、ＬＥＤチップ３１から発せられた青色の光により励起されて所定の色を発光する蛍光体が分散配合されており、全体として概ね白色光を発するものとされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いたりすることができる。
【００３０】
ＬＥＤ基板３０に設けられた各凹部２９では、ＬＥＤ基板３０の長辺方向（Ｘ軸方向）に沿った一対の側面２９ａ，２９ａが、外側に向かって広がる方向に傾斜する傾斜面とされている（図６及び図７参照）。即ち、凹部２９の側面２９ａ、２９ｂのうち、隣接するＬＥＤ２８の間に位置する側面２９ａが傾斜面とされている。一方、各凹部２９におけるＬＥＤ基板３０の短辺方向（Ｚ軸方向）に沿った一対の側面２９ｂ，２９ｂは、ＬＥＤ２８の光出射面２８ａと直交するように設けられている（図７参照）。凹部２９の側面２９ａ、２９ｂがこのように設けられていることで、ＬＥＤ２８から出射された光のうち、ＬＥＤ基板３０の長辺方向（Ｘ軸方向）に拡がった光は、傾斜面とされた凹部２９の側面２９ａに遮られ難くなっており、長辺方向（Ｘ軸方向）に拡がりながら導光板２０の入光面２０ａに入射することなる。一方、ＬＥＤ２８から出射された光のうち、ＬＥＤ基板３０の短辺方向（Ｚ軸方向）に拡がった光は、光出射面２８ａと直交する凹部２９の側面２９ｂによって遮られ易くなっており、短辺方向（Ｚ軸方向）に拡がり難い、即ち、シャーシ２２の底板２２ａ側や光学部材１８側に向かい難いものとなっている。
【００３１】
ＬＥＤ基板３０の基材は、放熱性を有するアルミニウム等の金属製とされ、その対向面３０ａは光反射性を有するものとされている。そして、ＬＥＤ基板３０の対向面３０ａには、絶縁層（図示せず）を介して、各ＬＥＤ２８に電力を供給するための金属膜からなる配線３４が配されている（図６参照）。この配線３４は、ＬＥＤ基板３０の対向面３０ａと凹部２９の傾斜面とされた側面２９ａと凹部２９の底面とに沿って配されている。このため、ＬＥＤ２８から出射される光が配線３４によって遮られないものとなっている。また、このように配線３４を設けることで、ＬＥＤユニット３２の製造工程において、凹部２９内にＬＥＤ２８を配する際に配線が邪魔にならないものとすることができる。
【００３２】
図６に示すように、ＬＥＤ２８の光出射面２８ａとＬＥＤ基板３０の対向面３０ａとの間には高さの差Ｗ２が設けられており、Ｙ軸方向において相違している。ＬＥＤ２８の光出射面２８ａは、ＬＥＤ基板３０の対向面３０ａよりも低い高さとされている。従って、ＬＥＤ基板３０の対向面３０ａは、ＬＥＤ２８の光出射面２８ａよりも導光板２０側に位置するものとされている。このため、熱膨張等によって導光板２０の入光面２０ａがＬＥＤ２８側へ延出した場合でも、ＬＥＤ基板３０の対向面３０ａが導光板２０の入光面２０ａと当接することとなり、ＬＥＤ２８の光出射面２８ａが導光板２０の入光面２０ａと当接することが防止される。
【００３３】
さて、上記のように、ＬＥＤ基板３０に設けられた凹部２９内に各ＬＥＤ２８が配されることで、ＬＥＤ基板３０の対向面３０ａにはＬＥＤ２８が配されない構成となっているので、ＬＥＤユニット３２と導光板２０の入光面２０ａとの間の距離を小さくすることができ、これにより、バックライト装置２４の狭額縁化を図ることが可能となっている。さらに、上記のように、ＬＥＤ２８から出射された光は、長辺方向（Ｘ軸方向）に拡がりながら導光板２０の入光面２０ａに入射することとなるので、ＬＥＤユニット３２と導光板２０の入光面２０ａとの間の距離を小さくした場合であっても、導光板２０の入光面２０ａの広い範囲に亘って光を入射させることができ、導光板２０の入光面２０ａにおいて隣接するＬＥＤ２８の間と対向する部位に暗部が発生することを防止ないし抑制することができる。また、上記のように、ＬＥＤ２８から出射された光は、シャーシ２２の底板２２ａ側や光学部材１８側に向かい難いものとなっているので、ＬＥＤ２８から出射される光のロスを減らすことができ、光の入光効率を高めることができる。
【００３４】
以上のように本実施形態に係るバックライト装置２４では、ＬＥＤ２８がＬＥＤ基板３０の凹部２９内に配されることで、ＬＥＤ２８の周りがＬＥＤ基板３０によって囲まれることとなるので、導光板２０が熱膨張等した場合であっても、導光板２０の入光面２０ａがＬＥＤ２８の光出射面２８ａと当接することを防止ないし抑制することができる。さらに、凹部２９の長辺方向（Ｘ軸方向）に沿った側面２９ａの各々が外側に向かって広がる方向に傾斜する傾斜面とされていることから、ＬＥＤ２８から出射された光のうち長辺方向（Ｘ軸方向）側に拡がった光が当該側面２９ａによって遮られ難いため、ＬＥＤ２８を導光板２０側に近付けた場合であっても、導光板２０の入光面２０ａにおいて隣接するＬＥＤ２８の間の部位と対向する部位に暗部が生じることを抑制することができる。このため、ＬＥＤ２８がＬＥＤ基板３０の板面上に配された場合に比べてＬＥＤ２８と導光板２０の入光面２０ａとの間の距離を狭めることができ、その結果、ＬＥＤ２８から出射された光の大部分が入光面２０ａに入射することとなるので、ＬＥＤ２８から出射された光の入光効率を高めることができる。
【００３５】
また、本実施形態に係るバックライト装置２４では、ＬＥＤ基板３０の対向面３０ａが、ＬＥＤ２８の光出射面２８ａより入光面２０ａ側に位置するものとされている。これにより、導光板２０が熱膨張等した場合に、導光板２０の入光面２０ａがＬＥＤ３０基板の対向面３０ａと当接することとなるので、導光板２０の入光面２０ａがＬＥＤ２８と当接することを確実に防止することができる。
【００３６】
また、本実施形態に係るバックライト装置２４では、ＬＥＤ２８の光出射面２８ａと導光板２０の入光面２０ａとの間の距離Ｗ１が１ｍｍ以下とされている。このため、両者の間の距離が１ｍｍとされた従来のバックライト装置と比べてＬＥＤ２８と導光板２０の入光面２０ａとの間の距離を狭めることができ、ＬＥＤ２８から出射された光の入光効率を一層高めることができる。
【００３７】
また、本実施形態に係るバックライト装置２４では、ＬＥＤ２８に電力を供給する配線３４が、ＬＥＤ基板３０における対向面３０ａと凹部２９とに沿って配されている。このため、ＬＥＤ２８から出射された光が配線３４によって遮られないものとなっている。
【００３８】
また、本実施形態に係るバックライト装置２４では、ＬＥＤ基板３０は、その短辺方向（Ｚ軸方向）が導光板２０の厚み方向に沿うように配され、ＬＥＤ基板３０において、凹部２９の短辺方向（Ｙ軸方向）に沿った側面２９ｂがＬＥＤ２８の光出射面２８ａと直交するように設けられている。ここで、凹部２９の短辺方向（Ｚ軸方向）に沿った側面２９ｂが凹部２９の外側に向かって傾斜した状態であると、ＬＥＤ２８から出射された光が導光板２０の厚み方向（Ｚ軸方向）に漏れやすいものとなる。本実施形態に係る構成によると、凹部２９の短辺方向（Ｚ軸方向）に沿った側面２９ｂが凹部２９の外側に向かって傾斜している場合に比して、ＬＥＤ２８から出射された光を導光板２０の厚み方向（Ｚ軸方向）に漏れ難いものとすることができる。その結果、ＬＥＤ２８から出射された光のロスを低減することができ、ＬＥＤ２８から出射された光の入光効率を一層高めることができる。
【００３９】
また、本実施形態に係るバックライト装置２４では、ＬＥＤ基板３０が放熱性を有するものとされている。これにより、ＬＥＤ２８から発生する熱をＬＥＤ基板３０から外部へと効果的に放熱させることができ、導光板２０の熱膨張を抑制することができる。
【００４０】
また、本実施形態に係るバックライト装置２４では、ＬＥＤ基板３０の対向面３０ａが光反射性を有するものとされている。これにより、ＬＥＤ２８から出射された光のうち凹部２９の側面２９ａ、２９ｂに向かった光やＬＥＤ基板３０の対向面３０ａに向かった光を導光板２０の入光面２０ａ側に反射させることができるので、ＬＥＤ２８から出射された光の入光効率を一層高めることができる。
【００４１】
＜実施形態２＞
図面を参照して実施形態２を説明する。実施形態２は、凹部１２９の側面とＬＥＤ基板１３０の対向面１３０ａとの境界部１３０ｓの形状が実施形態１のものと異なっている。その他の構成については実施形態１のものと同様であるため、構造、作用、及び効果の説明は省略する。なお、図８において、図４の参照符号に数字１００を加えた部位は、実施形態１で説明した部位と同一である。
【００４２】
実施形態２に係るバックライト装置では、図８に示すように、凹部１２９の傾斜面とされた側面１２９ａ（ＬＥＤ基板１３０の長辺方向（Ｘ軸方向）に沿った側面、配線１３４が配された側の側面）とＬＥＤ基板１３０の対向面１３０ａとの間の境界部１３０ｓに曲率が設けられている。また、凹部１２９の傾斜面とされた側面１２９ａと凹部１２９の底面との間の境界部１２９ｓにも曲率が設けられている。ここで、本実施形態のようにＬＥＤ基板１３０の対向面１３０ａ及び凹部１２９に沿って配線１３４が配されている場合、実施形態１のように対向面１３０ａと凹部１２９の傾斜面とされた側面１２９ａとの間の境界部１３９ａが角状となっていると、振動等によって配線１３４がずれた場合に当該境界部１３０ｓにおいて配線１３４が断線する虞がある。また、凹部１２９の傾斜面とされた側面１２９ａと凹部１２９の底面との間の境界部１２９ｓにおいても同様の理由によって配線１３４が断線する虞がある。上記の構成によれば、振動等によって配線１３４がずれた場合でも、これらの境界部１３０ｓ、１２９ｓに曲率が設けられることで滑らかなものとなっているので、配線１３４が断線することを防止ないし抑制することができる。
【００４３】
＜実施形態３＞
図面を参照して実施形態３を説明する。実施形態３は、ＬＥＤ２２８の光出射面２２８ａの高さが実施形態１のものと異なっている。その他の構成については実施形態１のものと同様であるため、構造、作用、及び効果の説明は省略する。なお、図９において、それぞれ図６の参照符号に数字２００を加えた部位は、実施形態１で説明した部位と同一である。
【００４４】
実施形態３に係るバックライト装置では、図９に示すように、ＬＥＤ２２８の光出射面２２８ａの高さとＬＥＤ基板２３０の対向面２３０ａの高さが等しいものとされている。このような場合であっても、熱膨張等によって導光板２２０の入光面２２０ａがＬＥＤユニット２３２側に延出した場合に、導光板２２０の入光面２２０ａがＬＥＤ基板２３０の対向面２３０ａと当接することとなるので、ＬＥＤ２２８の光出射面２２８ａが導光板２２０の入光面２２０ａと当接することによってＬＥＤ２２８が損傷等することを防止ないし抑制することができる。
【００４５】
＜実施形態４＞
図面を参照して実施形態４を説明する。実施形態４は、液晶表示装置３１０がキャビネットを備えない点で実施形態１のものと異なっている。その他の構成については実施形態１に係るキャビネットを備える液晶表示装置１０と同じであるため、説明を省略する。
【００４６】
実施形態４に係る液晶表示装置３１０は、図１０及び図１１に示すように、その主要な構成部品が、表側の外観を構成するフレーム３１２と、裏側の外観を構成するシャーシ３２２との間に保有される空間内に収容されてなるものとされる。フレーム３１２及びシャーシ３２２内に収容される主要な構成部品には、少なくとも、液晶パネル３１６、光学部材３１８、導光板３２０及びＬＥＤユニット３３２が含まれている。このうち、液晶パネル３１６、光学部材３１８及び導光板３２０は、相互に積層された状態で、その表側のフレーム３１２と裏側のシャーシ３２２とによって挟み込まれる形で保持されるようになっている。なお、ＬＥＤユニット３３２は、ＬＥＤ光源３２８と、ＬＥＤ光源３２８が実装されるＬＥＤ基板３３０と、ＬＥＤ基板３３０が取り付けられる断面視Ｌ字状をなす放熱部材３３６とからなっている。
【００４７】
フレーム３１２は、液晶パネル３１６の表示面３１６ｃに並行するとともに液晶パネル３１６を表側から押さえるパネル押さえ部３１２ａと、パネル押さえ部３１２ａの外周側部分から裏側に向けて突出する側壁部３１２ｂとからなり、断面形状が略Ｌ字型となっている。パネル押さえ部３１２ａにおける側壁部３１２ｂよりも内寄り（導光板３２０寄り）の位置には、ネジ部材ＳＭが取り付けられるネジ取付部３１３が一体形成されている。シャーシ３２２は、導光板３１６と同様に横長の方形状をなす底板部３２２ａと、底板部３２２ａにおける両長辺側端部からそれぞれ裏側に段差状に突出するとともにＬＥＤユニット３３２を収容する一対のＬＥＤ収容部３２２ｂとを有している。フレーム３１２とシャーシ３２２とは、上記したネジ部材ＳＭによって組み付けられている。
【００４８】
本実施形態のようなキャビネットを備えないタイプの液晶表示装置３１０では、図１１に示すように、ＬＥＤ３２８と光学部材３１８との間が部材によって遮られない構成となるので、ＬＥＤ３１８から出射された光が光学部材３１８の端部側に向かうことで液晶パネル３１６の表示面３１６ｃにおいて輝度ムラが発生することがある。しかしながら、ＬＥＤ３２８がＬＥＤ基板３３０に設けられた凹部３２９内に配されることによって、ＬＥＤ３２８から出射された光が光学部材３１８の端部側に向かい難いものとなっているので、本実施形態のようなキャビネットを備えないタイプの液晶表示装置３１０において、ＬＥＤ３２８から出射された光が光学部材３１８の端部側に向かうことに起因する輝度ムラの発生を防止ないし抑制することができる。
【００４９】
上記の各実施形態の変形例を以下に列挙する。
（１）上記の各実施形態では、ＬＥＤ基板が金属製とされた構成を例示したが、ＬＥＤ基板の材質は限定されない。
【００５０】
（２）上記の各実施形態では、導光板の長辺方向の両側面側にＬＥＤユニットが配された構成を例示したが、導光板の一方の側面側にのみＬＥＤユニットが配された構成であってもよい。または、導光板の全ての側面側にＬＥＤユニットが配された構成であってもよい。
【００５１】
（３）上記の各実施形態では、ＬＥＤに電力を供給するための配線が凹部内配された構成を例示したが、例えば、凹部を避けるような形でＬＥＤ基板の対向面にのみ配線が配された構成であってもよい。
【００５２】
（４）上記の各実施形態では、表示パネルとして液晶パネルを用いた液晶表示装置を例示したが、他の種類の表示パネルを用いた表示装置にも本発明は適用可能である。
【００５３】
（５）上記の各実施形態では、チューナーを備えたテレビ受信装置を例示したが、チューナーを備えない表示装置にも本発明は適用可能である。
【００５４】
以上、本発明の各実施形態について詳細に説明したが、これらは例示に過ぎず、特許請求の範囲を限定するものではない。特許請求の範囲に記載の技術には、以上に例示した具体例を様々に変形、変更したものが含まれる。
【００５５】
また、本明細書または図面に説明した技術要素は、単独であるいは各種の組合せによって技術的有用性を発揮するものであり、出願時の請求項に記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５６】
ＴＶ…テレビ受信装置、Ｃａ、Ｃｂ…キャビネット、Ｔ…チューナー、Ｓ…スタンド、１０、３１０…液晶表示装置、１２…ベゼル、１４、３１４…フレーム、１６、３１６…液晶パネル、１８、３１８…光学部材、２０、３２０…導光板、２２、３２２…シャーシ、２４、３２４…バックライト装置、２６、３２６…反射シート、２８、１２８、２２８、３２８…ＬＥＤ、２９、１２９、２２９、３２９…凹部、２９ａ、１２９ａ、２２９ａ…（ＬＥＤ基板の長辺方向に沿った）側面、２９ｂ、１２９ｂ、２２９ｂ…（ＬＥＤ基板の短辺方向に沿った）側面、３０、１３０、２３０、３３０…ＬＥＤ基板、３２、１３２、２３２、３３２…ＬＥＤユニット
【図１】
2013218842.tif 000003
【図２】
2013218842.tif 000004
【図３】
2013218842.tif 000005
【図４】
2013218842.tif 000006
【図５】
2013218842.tif 000007
【図６】
2013218842.tif 000008
【図７】
2013218842.tif 000009
【図８】
2013218842.tif 000010
【図９】
2013218842.tif 000011
【図１０】
2013218842.tif 000012
【図１１】
2013218842.tif 000013